(57)【特許請求の範囲】
【請求項１】
原稿を搬送するドキュメントフィーダと、原稿を固定して読み取るための原稿台と、原稿を副走査方向に走行して走査する走査手段と、上記原稿台とは別に設けられたシートスルー用原稿台と、上記シートスルー用原稿台の読み取り位置の上流に設けられ上記ドキュメントフィーダで搬送される原稿を上記読み取り位置へ案内するための搬送規制部材を有し、上記ドキュメントフィーダ使用時には上記走査手段は上記シートスルー用原稿台に対応して位置固定される画像読取装置において、
上記搬送規制部材が着脱自在に設けられ、原稿の紙種に応じて上記搬送規制部材を変化させることを特徴とする画像読取装置。
【請求項２】
請求項１記載の画像読取装置において、
原稿の紙厚に応じて、上記搬送規制部材の厚みを変えることを特徴とする画像読取装置。
【請求項３】
請求項１記載の画像読取装置において、
上記搬送規制部材が原稿の搬送方向と略直交する幅方向に間隔をおいて複数設けられ、原稿の紙厚に応じて、上記搬送規制部材の数を変えることを特徴とする画像読取装置。
【請求項４】
請求項１記載の画像読取装置において、
原稿の紙厚に応じて、上記搬送規制部材の取付位置を変えることを特徴とする画像読取装置。
【請求項５】
請求項１，２，３又は４記載の画像読取装置において、
上記搬送規制部材の着脱が面状ファスナーによってなされることを特徴とする画像読取装置。
【請求項６】
請求項１，２，３，４又は５記載の画像読取装置において、
上記搬送規制部材がポリエステルフィルムで形成されていることを特徴とする画像読取装置。
【発明の詳細な説明】
【０００１】
【発明の属する技術分野】
本発明は、複写機、ファクシミリ、スキャナ等の画像読取装置に関し、詳しくは、ドキュメントフィーダ（以下、ＤＦという。）及びこれに対応したシートスルー用原稿台を備えた画像読取装置に関する。
【０００２】
【従来の技術】
この種の画像読取装置では、原稿を固定して読み取るための原稿台としてのコンタクトガラスは別に、シートスルー用原稿台としてのシートスルー用コンタクトガラスが設けられており、ＤＦ使用時には、コンタクトガラス上に載置された原稿を副走査方向に走行して走査する走査手段をシートスルー用コンタクトガラスの読み取り位置に固定し、シートスルー用コンタクトガラス上で原稿を搬送しながら読み取ることが行われている。読み取られた原稿はＤＦの排紙トレイ上に排出されるようになっている。
装置の小型化を図るために、ＤＦの搬送経路は原稿を反転させる構成となっている。
【０００３】
このため、シートスルー用コンタクトガラスの読み取り位置で原稿がガラス面に密着しない、いわゆる原稿浮きが発生し易く、原稿浮きが発生した場合には読み取り精度が低下して画像劣化を引き起こす。
この問題に対処すべく、特開平１０−１８６５３５号公報には、シートスルー用コンタクトガラスを常時フィードローラに対して密着するように付勢する技術が開示されている。
この構成によれば、フィードローラとシートスルー用コンタクトガラスの間において原稿は付勢力により挟持されるので、シートスルー用コンタクトガラスに確実に密着し、原稿浮きを防止することができる。しかしながら、付勢機構を設けることにより製造コストの増大を招くという問題があった。
【０００４】
低コストな方法として、シートスルー用コンタクトガラスの読み取り位置の上流に、ＤＦのフィードローラにより搬送されてくる原稿をシートスルー用コンタクトガラスの読み取り位置に接触するように案内する搬送規制部材を設ける構成が知られている。搬送規制部材としてマイラー（商標：ポリエステルフィルム）が使用されている。
【０００５】
搬送規制部材を使用した簡易構成の例を図９に基づいて説明する。
ＤＦのフィードローラ１００に対向してシートスルー用コンタクトガラス１０２が位置決めされて設けられており、シートスルー用コンタクトガラス１０２の読み取り位置Ｙに対応して走査手段１０４が位置固定されている。読み取り位置Ｙの上流には、搬送規制部材としてのマイラー１０６が一端を固定して設けられている。マイラー１０６はヘ字状に形成されており、フィードローラ１００と従動コロ１０８により挟持搬送される原稿１１０は、マイラー１０６の自由端で規制されて読み取り位置Ｙでシートスルー用コンタクトガラス１０２に密着するように案内される。
図９において、符号１１２は、原稿を固定して読み取るためのコンタクトガラスを、符号１１４は上ガイド板を示している。
【０００６】
【発明が解決しようとする課題】
しかしながら、上記従来の技術では、原稿１１０の種類に関係なく同じマイラー１０６を使用する方式であるため、図９に示すように、例えば原稿１１０が厚紙の場合にはマイラー１０６の自由端部が原稿１１０の重量によって若干下がり、これによって原稿１１０は破線で示すように読み取り位置Ｙの上流側からシートスルー用コンタクトガラス１０２上に接触して正常な読み取り状態となるが、原稿１１０が薄紙の場合にはマイラー１０６の腰の強さに原稿１１０の腰の強さが負けるため、マイラー１０６の自由端部はほとんど下がらず、このため実線で示すように原稿１１０は読み取り位置Ｙの下流側で初めてシートスルー用コンタクトガラス１０２に接触し、読み取り位置Ｙでは隙間ｇができて原稿浮きが発生する。
【０００７】
原稿浮きが発生すると、走査手段１０４の照明ランプからの照度変化による濃度の変化や、原稿に斜め線がある場合にはその斜め線を歪めて読み取ってしまうというような不具合が発生する。
【０００８】
こで、本発明は、安価な構成で原稿浮きの問題を解消できる画像読取装置の提供を、その目的とする。
【０００９】
【課題を解決するための手段】
上記目的を達成するために、請求項１記載の発明では、原稿を搬送するドキュメントフィーダと、原稿を固定して読み取るための原稿台と、原稿を副走査方向に走行して走査する走査手段と、上記原稿台とは別に設けられたシートスルー用原稿台と、上記シートスルー用原稿台の読み取り位置の上流に設けられ上記ドキュメントフィーダで搬送される原稿を上記読み取り位置へ案内するための搬送規制部材を有し、上記ドキュメントフィーダ使用時には上記走査手段は上記シートスルー用原稿台に対応して位置固定される画像読取装置において、原稿の紙種に応じて上記搬送規制部材を変化させる、という構成を採っている。
【００１０】
請求項２記載の発明では、請求項１記載の構成において、原稿の紙厚に応じて、上記搬送規制部材の厚みを変える、という構成を採っている。
【００１１】
請求項３記載の発明では、請求項１記載の構成において、上記搬送規制部材が原稿の搬送方向と略直交する幅方向に間隔をおいて複数設けられ、原稿の紙厚に応じて、上記搬送規制部材の数を変える、という構成を採っている。
【００１２】
請求項４記載の発明では、請求項１記載の構成において、原稿の紙厚に応じて、上記搬送規制部材の取付位置を変える、という構成を採っている。
【００１３】
請求項５記載の発明では、請求項１，２，３又は４記載の構成において、上記搬送規制部材の着脱が面状ファスナーによってなされる、という構成を採っている。
【００１４】
請求項６記載の発明では、請求項１，２，３，４又は５記載の構成において、上記搬送規制部材がポリエステルフィルムで形成されている、という構成を採っている。
【００１５】
【実施例】
以下、本発明の実施例を図に基づいて説明する。
図１に示すように、本実施例における画像読取装置としてのスキャナ２は、読取部４と、この読取部４に対してヒンジ部６を介して上下方向に回動自在に設けられたＤＦ（自動ドキュメントフィーダ）８を有している。読取部４には、照明ランプ１０と第１ミラー１２等を装備した第１キャリッジ１４と、第２ミラー１６及び第３ミラー１８等を装備した第２キャリッジ２０が副走査方向に往復移動可能に設けられており、これらを主として走査手段が構成されている。
【００１６】
読取部４の上面には原稿を固定して読み取るための原稿台としてのコンタクトガラス２２が設けられている。このコンタクトガラス２２に原稿を載置固定して読み取る場合には、第１キャリッジ１４が一定の速度で往動し、且つ、第２キャリッジ２０が第１キャリッジ１４の１／２の速度で第１キャリッジ１４に追従して往動することによりコンタクトガラス２２上の原稿が光学的に走査される。
原稿は照明ランプ１０により照明されてその反射光像が第１ミラー１２、第２ミラー１６、第３ミラー１８を介してレンズ２４によりＣＣＤセンサ２６上に結像される。
【００１７】
ＣＣＤセンサ２６は、結像された原稿の反射光像を光電変換してアナログ画像信号を出力し、アナログ信号はアナログ／デジタル変換器によりデジタル画像信号に変換され、画像処理板２８にて種々の画像処理（２値化、階調処理、変倍、編集）が施され、原稿の読み取りが行われる。
画像の読み取り終了後、第１キャリッジ１４と第２キャリッジ２０はホームポジションに復動する。図１で示す位置が、第１キャリッジ１４と第２キャリッジ２０はホームポジションである。
【００１８】
次に、ＤＦ８の構成及びＤＦ８を使用した場合の読取動作を説明する。
原稿トレイ３０に積載された原稿は、ピックアップローラ３２により分離部へ送られ、分離部においてフィードローラ３４と分離ローラ３６により１枚ずつ分離されて搬送される。その後、原稿は、フィードローラとしての搬送ドラム３８とこの搬送ドラム３８の周囲に配置されて搬送ドラム３８に押圧された複数の従動コロ４０により搬送される。
【００１９】
搬送された原稿は、読み取り位置（上記ホームポジション位置）Ｙに達すると、所定のタイミングで照明ランプ１０により下面の原稿面側が照射され、その反射光が第１ミラー１２、第２ミラー１６、第３ミラー１８により上記動作と同様にＣＣＤセンサ２６に結像されて光電変換される。ＣＣＤセンサ２６によるアナログ信号出力以降は上記動作と同様である。原稿は搬送ドラム３８及び従動コロ４０によって図１の右側へ搬送され、ＣＣＤセンサ２６に入光する反射光は原稿の副走査方向に走査される。画像情報が読み取られた原稿は、排紙ローラ対４２により排紙トレイ４４上に排出される。
【００２０】
次に、本実施例における読み取り位置Ｙ周辺の構成を、詳細に説明する。
図２に示すように、読み取り位置Ｙには搬送ドラム３８に対向してシートスルー用コンタクトガラス４６が設けられており、シートスルー用コンタクトガラス４０の上部には上ガイド板４７が設けられている。
シートスルー用コンタクトガラス４６及びその近傍の従動コロ４０は、支持板４８に保持されている。支持板４８は、図３に示すように、一体成形されたモールド部品である。支持板４８には、原稿の搬送方向と略直交する幅方向（主走査方向）に間隔をおいて４つの従動コロ４０が回転自在に支持されており、各従動コロ４０の支持凹部の平坦な底面４８ａにはそれぞれ搬送規制部材としてのマイラー５０が着脱自在に取り付けられている。
【００２１】
マイラー５０は取付部５０ａと、この取付部５０ａから斜め下方に延びる規制部５０ｂとからなり、取付部５０ａの下面には、図４に示すように、面状ファスナー５２が固着されている。これに対応して、各従動コロ４０の支持凹部の平坦な底面４８ａには、図５に示すように、面状ファスナー５４が固着されている。
図５に示すように、マイラー５０の面状ファスナー５２と底面４８ａの面状ファスナー５４を結合することによってマイラー５０は容易に支持板４８に取り付けられる。底面４８ａ側の面状ファスナー５４はマイラー５０の面状ファスナー５２より副走査方向（矢印Ｓ方向）に長く形成されており、副走査方向へのマイラー５０の突出位置を調整できるようになっている。
図３に示すように、支持板４８の両端部には固定用穴４８ｂが形成されており、これを介して図６に示す位置に固定される。図６において符号５６は白板を示す。
【００２２】
各マイラー５０は薄紙対応のもので、従来のものより薄肉に形成されている。このため、図２に示すように、薄紙の原稿５８を搬送した場合、マイラー５０の傾斜角βが図９で示した従来構成におけるマイラー１０６の傾斜角αより小さくなるように撓み原稿５８は読み取り位置Ｙの上流側でシートスルー用コンタクトガラス４６に接触する。このため原稿浮きは生じない。
厚紙の原稿の場合には、これに対応した厚みのマイラーと交換する。上述のように面状ファスナーによるワンタッチ着脱であるので交換作業も容易且つ迅速に行える。
本実施例では原稿を薄紙と厚紙に大別してこれに対応したマイラー５０を用意する構成としたが、原稿の紙厚を数段階に分け、それぞれに対応したマイラー５０を用意して交換するようにすれば、原稿浮きの防止を高精度に行うことができる。
また、薄紙対応のマイラー５０と厚紙対応のマイラー５０を混在させて原稿の多様な紙厚に対応できるようにしてもよい。
【００２３】
上記実施例では、マイラー５０の厚さを変えることによって原稿の紙厚の変化に対応する構成としたが、マイラー５０の数を変えて原稿の紙厚の変化に対応する構成とすることもできる。
例えば、図３において、原稿が薄紙の場合には、Ａ，Ｄの位置に対応するマイラー５０のみを使用し、又はＡ，Ｃの位置に対応するマイラー５０のみを使用する。マイラー５０の数が少なくなると、原稿に対するマイラー全体の腰の強さが変わるため、紙厚の変化に対応することができる。
本実施例の場合には、４つのマイラー５０を全部使用した場合のトータルのマイラーの腰の強さを厚紙の原稿に対応したものとして設定すればよい。
このようにすれば、上記実施例に比べて別途異なるマイラーを用意する必要がないので部品管理が容易である。
【００２４】
次に、図７及び図８に基づいて他の実施例を説明する。なお、上記各実施例と同一部分は同一符号で示し、重複説明は省略する。
本実施例は、厚紙対応の肉厚を有するマイラー６０のみを用いて薄紙の原稿にも対応できることを特徴としている。マイラー６０の数及び着脱構成は上記各実施例と同様である。
図７は原稿が厚紙の場合の取付位置を示している。図５で示したように、マイラー６０の面状ファスナー５２は従動コロ４０の支持凹部の平坦な底面４８ａに設けられる面状ファスナー５４より長さが小さく副走査方向（矢印Ｓ方向）の取付位置を変えられるようになっている。本実施例ではこの取付位置の調整によって原稿の紙厚の変化に対応するものである。
【００２５】
図７はマイラー６０を副走査方向へ突出させた状態を示しており、この厚紙対応の取付位置では薄紙の原稿５８はマイラー６０の腰の強さに負けるため、原稿浮きが生じる。
しかしながら、図８に示すように、マイラー６０の突出量を少なくすれば、マイラー６０の自由端と薄紙の原稿５８との接触位置が変わるため（Ｌ１＜Ｌ２）、マイラー６０の腰の強さが大きくても問題は無く、原稿５８は読み取り位置Ｙの上流側でシートスルー用コンタクトガラス４６に接触し、原稿浮きは生じない。
【００２６】
本実施例で面状ファスナーによる固定であるため、マイラー６０の突出量を微調整することができ、よって１種類のマイラー６０で原稿の多様な紙厚に対応することができる。
本実施例においても、４つのマイラー６０のうち任意のものの突出量を他と異ならせる使用態様としてもよい。
【００２７】
なお、上記各実施例では、原稿の紙厚の変化に対応して搬送規制部材としてのマイラーを変化させる構成としたが、原稿の紙質（種類）に応じて変化させる場合にも同様に実施できる。
【００２８】
【発明の効果】
請求項１記載の発明によれば、原稿の紙種に応じて搬送規制部材を変化させる構成としたので、安価な構成で原稿浮きによる画像劣化を防止することができる。
【００２９】
請求項２記載の発明によれば、原稿の紙厚に応じて搬送規制部材の厚みを変える構成としたので、安価な構成で原稿浮きによる画像劣化を防止することができる。
【００３０】
請求項３記載の発明によれば、原稿の紙厚に応じて搬送規制部材の数を変える構成としたので、１つの種類の搬送規制部材で対応でき、部品管理が容易となる。
【００３１】
請求項４記載の発明によれば、原稿の紙厚に応じて搬送規制部材の取付位置を変える構成としたので、１つの種類の搬送規制部材で対応でき、部品管理が容易となる。
【００３２】
請求項５記載の発明によれば、搬送規制部材の着脱構成を面状ファスナーで形成する構成としたので、着脱操作がワンタッチでできて容易である。また、取付位置の微調整が可能であるので原稿の多様な紙厚に対応することができる。
【００３３】
請求項６記載の発明によれば、搬送規制部材をポリエステルフィルムで形成する構成としたので、安価な構成とすることができるとともに、製作が容易となる。
【図面の簡単な説明】
【図１】本発明の一実施例に係る画像読取装置の概要正面図である。
【図２】ＤＦ使用時の読み取り位置周辺の概要断面図である。
【図３】マイラーの取付位置を示す斜視図である。
【図４】マイラーを裏側から見た斜視図である。
【図５】マイラーの取付方法を示す要部断面図である。
【図６】画像読取装置のＤＦを上方に回動した状態の斜視図である。
【図７】他の実施例におけるＤＦ使用時の読み取り位置周辺の概要断面図である。
【図８】図７で示した実施例において、マイラーの取付位置を変えた状態の読み取り位置周辺の概要断面図である。
【図９】従来におけるＤＦ使用時の読み取り位置周辺の概要断面図である。
【符号の説明】
５８  原稿
８  ドキュメントフィーダ
２２  原稿台としてのコンタクトガラス
Ｓ  副走査方向
４６  シートスルー用原稿台としてのシートスルー用コンタクトガラス
５０，６０  搬送規制部材としてのマイラー
５２，５４  面状ファスナー
【図１】
0003658512.tif 000002
【図２】
0003658512.tif 000003
【図３】
0003658512.tif 000004
【図４】
0003658512.tif 000005
【図５】
0003658512.tif 000006
【図６】
0003658512.tif 000007
【図７】
0003658512.tif 000008
【図８】
0003658512.tif 000009
【図９】
0003658512.tif 000010